(57)【要約】【課題】簡素な構成で２方向に光を照射することができる安価でかつ小型の照明装置、およびこの照明装置を備えた遊技機を提供する。【解決手段】スロットマシン１用の照明装置１７は、それぞれ複数の第１発光部２６および第２発光部２７が、基板２８上であって、該基板２８の長手方向に交互に配列されてなる光源群と、各第１発光部２６それぞれからの光を所定方向に出射する複数の第１光出射部２９ａと、各第２発光部２７それぞれからの光を第１発光部２６からの光の出射方向と異なる方向に出射する複数の第２光出射部２９ｂ，２９ｃとを有するリフレクタ２９とを備える。これにより、２方向に光を照射することができる安価でかつ小型の照明装置１７を提供することができる。【選択図】図６
2014090840.tif 000002
【特許請求の範囲】
【請求項１】
照明装置を備える遊技機において、
前記照明装置は、
少なくとも１つの第１発光部と、少なくとも１つの第２発光部とを備え、前記第１発光部および前記第２発光部が、基板上であって、該基板の長手方向に交互に合計３つ以上配列されてなる光源群と、
前記各第１発光部それぞれからの光を所定方向に出射する複数の第１光出射部と、
前記各第２発光部それぞれからの光を前記所定方向と異なる方向に出射する複数の第２光出射部とを有する出射手段と
を備えることを特徴とする遊技機。
【請求項２】
前記光源群は、前記各発光部が、前記基板の長手方向に略直線状に配列されてなることを特徴とする請求項１に記載の遊技機。
【請求項３】
前記各第２光出射部それぞれは、前記第２発光部の周囲を囲む全周のうちの光の出射側が開放され、前記第２発光部の光の照射方向を変更する反射面を有することを特徴とする請求項１または２に記載の遊技機。
【請求項４】
前記各第２光出射部それぞれは、前記第２発光部を左右から挟み、該第２の発光部から横方向に広がる光を反射する２つの第１反射面を備え、
前記両第１反射面は、前記基板から遠ざかるに連れて、前記両第１反射面が接近するように形成されることを特徴とする請求項１ないし３のいずれかに記載の遊技機。
【請求項５】
前記各第１光出射部それぞれは、
前記第１発光部を左右から挟み、かつ、前記基板から遠ざかるに連れて距離が広がるように形成され、前記第１発光部の横方向に広がる光をほぼ直進するように反射して出射する２つの第２反射面と、
前記第１発光部の下側に形成され、前記第１発光部の下方向に広がる光をほぼ直進するように反射して出射する第３反射面と
を備えることを特徴とする請求項１ないし４のいずれかに記載の遊技機。
【請求項６】
前記各第１光出射部それぞれは、前記第１発光部の光の照射方向を前記第２光出射部から出射される光の方向と異なる方向に変更する反射面を有することを特徴とする請求項１ないし４のいずれかに記載の遊技機。
【請求項７】
前記各第１光出射部および前記各第２光出射部のうちの少なくとも一方が、他方の前記各光出射部からの洩れ光を遮蔽する遮蔽機能を有することを特徴とする請求項１ないし６のいずれかに記載の遊技機。
【請求項８】
前記各第１光出射部および前記各第２光出射部がユニット化されてケース体を成し、該ケース体が、前記基板の前記光源群の配置側に着脱自在に装着されることを特徴とする請求項１ないし７のいずれかに記載の遊技機。
【請求項９】
請求項１ないし８のいずれかに記載の遊技機において、
前記遊技機は、複数の回転リールおよび操作スイッチをさらに備え、
前記各第１発光部および前記各第２発光部のうち、一方の前記各発光部は、前記各回転リールの表面を照射するためのリール照明用に使用され、他方の前記各発光部は、遊技者に前記操作スイッチの操作態様を報知するための演出照明用に使用されることを特徴とする遊技機。
【発明の詳細な説明】
【技術分野】
【０００１】
本発明は、２方向に光を照射する照明装置を備えるスロットマシンなどの遊技機に関する。
【背景技術】
【０００２】
従来、単一の照明装置が、化粧パネルのバックライトおよびリール照明用の光源に兼用されるパチスロ機等の遊技機が知られている（特許文献１参照）。ところで、リール回転中の演出として、化粧パネルに描かれた特定絵文字を点滅させる場合がある。この場合、単一の照明装置でこのような演出を行おうとすると、リール用の照明まで点滅することになるため、リール図柄が見づらくなるという問題が生じる。また、遊技者がリール図柄を視認しやすいようにリール用の照明を常時点灯させると、上記したリール回転中の演出を実現することができない。
【０００３】
そこで、化粧パネルおよびリール照明用の照明装置をそれぞれ個別に設けるようにしたパチスロ機等の遊技機が提案されている（特許文献２参照）。このように構成すると、遊技者に対するリール図柄の視認性を確保した状態で、化粧パネル側の照明装置の照明を点滅させるなどして多彩な演出を実現することができる。
【先行技術文献】
【特許文献】
【０００４】
【特許文献１】特開２００４−０１６３２１号公報（段落００５８〜００６０、図４等参照）
【特許文献２】特開２００８−０００５２６号公報（段落００６０、図５等参照）
【発明の概要】
【発明が解決しようとする課題】
【０００５】
しかしながら、特許文献２に記載された発明では、各照明装置は、それぞれ別々の場所に分散して配置されているため、各照明装置の設置スペースを遊技機筺体内部に確保する必要がある。したがって、照明装置が設置される装置の設計自由度が制限されるという問題点があった。また、照明装置の部品点数が多くなるので、照明装置の低コスト化を図ることができないという問題点もあった。
【０００６】
本発明は、上記課題に鑑みてなされたものであり、簡素な構成により２方向に光を照射することができる安価でかつ小型の照明装置を備えた遊技機を提供することを目的とする。
【課題を解決するための手段】
【０００７】
上記目的を達成するために、本発明にかかる遊技機は、照明装置を備える遊技機において、前記照明装置は、少なくとも１つの第１発光部と、少なくとも１つの第２発光部とを備え、前記第１発光部および前記第２発光部が、基板上であって、該基板の長手方向に交互に合計３つ以上配列されてなる光源群と、前記各第１発光部それぞれからの光を所定方向に出射する複数の第１光出射部と、前記各第２発光部それぞれからの光を前記所定方向と異なる方向に出射する複数の第２光出射部とを有する出射手段とを備えることを特徴としている（請求項１）。
【０００８】
また、前記光源群は、前記各発光部が、前記基板の長手方向に略直線状に配列されてなることを特徴としている（請求項２）。
【０００９】
また、前記各第２光出射部それぞれは、前記第２発光部の周囲を囲む全周のうちの光の出射側が開放され、前記第２発光部の光の照射方向を変更する反射面を有することを特徴としている（請求項３）。
【００１０】
また、前記各第２光出射部それぞれは、前記第２発光部を左右から挟み、該第２の発光部から横方向に広がる光を反射する２つの第１反射面を備え、前記両第１反射面は、前記基板から遠ざかるに連れて、前記両第１反射面が接近するように形成されていてもよい（請求項４）。
【００１１】
また、前記各第１光出射部それぞれは、前記第１発光部を左右から挟み、かつ、前記基板から遠ざかるに連れて距離が広がるように形成され、前記第１発光部の横方向に広がる光をほぼ直進するように反射して出射する２つの第２反射面と、前記第１発光部の下側に形成され、前記第１発光部の下方向に広がる光をほぼ直進するように反射して出射する第３反射面とを備えていてもよい（請求項５）。
【００１２】
また、前記各第１光出射部それぞれは、前記第１発光部の光の照射方向を前記第２光出射部から出射される光の方向と異なる方向に変更する反射面を有していてもよい（請求項６）。
【００１３】
また、前記各第１光出射部および前記各第２光出射部のうちの少なくとも一方が、他方の前記各光出射部からの洩れ光を遮蔽する遮蔽機能を有することが好ましい（請求項７）。
【００１４】
また、前記各第１光出射部および前記各第２光出射部がユニット化されてケース体を成し、該ケース体が、前記基板の前記光源群の配置側に着脱自在に装着されていてもよい（請求項８）。
【００１５】
また、前記遊技機は、複数の回転リールおよび操作スイッチをさらに備え、前記各第１発光部および前記各第２発光部のうち、一方の前記各発光部は、前記各回転リールの表面を照射するためのリール照明用に使用され、他方の前記各発光部は、遊技者に前記操作スイッチの操作態様を報知するための演出照明用に使用されるようにしてもかまわない（請求項９）。
【発明の効果】
【００１６】
請求項１に係る発明によれば、照明装置が備える光源群は、基板上であって、該基板の長手方向に第１発光部と第２発光部とが交互に配列された状態で形成される。そして、各第１発光部それぞれからの光は、各第１光出射部により、それぞれ所定方向に出射されるとともに、各第２発光部それぞれからの光は、各第２光出射部により、それぞれ各第１発光部からの光の出射方向と異なる方向に出射される。
【００１７】
したがって、単一の照明装置で異なる２方向に光を出射することができるため、光の出射方向の異なる照明装置を個別に設ける従来の構成と比較して、照明装置の小型化を図ることができる。また、照明装置を単一なものとすることにより、照明装置を構成する部品の数を削減することができるため、照明装置の低コスト化を図ることもできる。また、照明装置を小型化することにより、遊技機筐体内部における照明装置の設置スペース以外の空きスペースを大きくすることができるため、遊技機の設計自由度の向上を図ることができる。
【００１８】
また、それぞれ異なる方向に光を出射するための各第１発光部および各第２発光部が個別の光源で形成されるため、従来のように、リール照明用の光源と演出照明用の光源を一つの光源で構成したときの問題が生じない。すなわち、上記したように、リール回転中の演出として、化粧パネルに描かれた特定絵文字を点滅させるとリール用の照明まで点滅することになり、リール図柄が見づらくなるという問題が生じたり、遊技者がリール図柄を視認しやすいようにリール用の照明を常時点灯させると、上記したリール回転中の演出を実現することができないといった問題が生じたりすることがない。
【００１９】
請求項２に係る発明によれば、各発光部を基板の長手方向に略直線状に配列することにより、基板の主面における、長手方向と垂直な方向の長さを短くすることができるため、基板の小型化、ひいては照明装置の小型化を図ることができる。
【００２０】
請求項３に係る発明によれば、各第２光出射部それぞれは、第２発光部の周囲を囲む全周のうちの光の出射側が開放され、当該第２発光部の光の照射方向を変更する反射面を有するため、各第２発光部それぞれの光の照射方向を各第２光出射部の反射面により変更した上で、各第１発光部の光の出射方向と異なる方向に出射することができる。
【００２１】
請求項４に係る発明によれば、各第２光出射部それぞれは、第２発光部を左右から挟み、該第２の発光部から横方向に広がる光を反射する２つの第１反射面を備え、両第１反射面は、基板から遠ざかるに連れて、両第１反射面が接近するように形成される。このように構成すると、各第２光出射部それぞれを、基板から遠ざかるに連れて先細りの形状で形成することができるため、例えば、第１発光部からの光をその照射方向を変更せずに出射する場合に、出射手段が各第１発光部からの光を遮って、第１発光部の照射対象に影が映るのを防止することができる。したがって、各第１発光部の照射対象の視認性に優れた照明装置を提供することができる。
【００２２】
請求項５に係る発明によれば、各第１光出射部それぞれは、第１発光部を左右から挟み、かつ、基板から遠ざかるに連れて距離が広がるように形成され、当該第１発光部の横方向に広がる光をほぼ直進するように反射して出射する２つの第２反射面と、当該第１発光部の下側に形成され、当該第１発光部の下方向に広がる光をほぼ直進するように反射して出射する第３反射面とを備えるため、各第１発光部それぞれからの光を直進方向に効率よく出射することができる。
【００２３】
請求項６に係る発明によれば、各第１光照射部それぞれは、第１発光部の光の照射方向を第２光出射部から出射される光の方向と異なる方向に変更する反射面を有するため、各第１発光部の光をそれぞれ反射面により変更した上で、各第２発光部からの光の出射方向と異なる方向に出射することができる。したがって、例えば、各第１発光部および各第２発光部からの光それぞれを、共にその照射方向と異なる方向に反射して出射することができるため、照明装置の遊技機筐体内における配置の自由度が向上する。
【００２４】
請求項７に係る発明によれば、各第１光出射部および各第２光出射部のうちの少なくとも一方が、他方の各光出射部からの洩れ光を遮蔽する遮蔽機能を有することにより、各発光部を個別に仕切ることができるため、隣接する両発光部それぞれからの光の相互干渉を防止することができる。
【００２５】
請求項８に係る発明によれば、各第１光出射部および各第２光出射部がユニット化されてケース体を成し、該ケース体が、基板の光源群の配置側に着脱自在に装着されるため、出射手段の小型化、ひいては照明装置の小型化を図ることができる。また、ケース体を基板に着脱自在に装着することができるため、部品（出射手段）の交換作業を容易に行うことができる。
【００２６】
請求項９に係る発明によれば、各第１発光部および各第２発光部のうちの一方を各回転リールの表面を照射するためのリール照明用に使用し、他方を遊技者に操作スイッチの操作態様を報知するための演出照明用に使用するため、リール照明用および演出照明用それぞれで個別に照明装置を設置する必要がなく、遊技機筐体内部における照明装置の設置スペースを小さくすることができ、遊技機の設計自由度の向上を図ることができる。
【図面の簡単な説明】
【００２７】
【図１】本発明の照明装置を備える遊技機の一実施形態たるスロットマシンの正面図である。
【図２】図１中のＸ−Ｘ断面図である。
【図３】スロットマシンが備える照明装置を右斜め前上方から見た状態を示し、（ａ）は斜視図、（ｂ）は分解斜視図である。
【図４】照明装置の基板の正面図である。
【図５】リフレクタを示す図であり、（ａ）は正面図、（ｂ）は背面図、（ｃ）は平面図、（ｄ）は底面図である。
【図６】照明装置を示す図であり、（ａ）は正面図、（ｂ）は背面図、（ｃ）は平面図、（ｄ）は底面図である。
【図７】照明装置を左斜め前下方側から見た場合の斜視図である。
【図８】光源群の光の出射方向を示す図であり、（ａ）は照明装置の平面図、（ｂ）はＡ−Ａ断面図、（ｂ）はＢ−Ｂ断面図である。
【図９】照明装置の取り付け位置を示す図であり、（ａ）は前扉の部分正面図、（ｂ）は前扉の部分背面斜視図である。
【発明を実施するための形態】
【００２８】
図１〜図９を参照して本発明の一実施形態について説明する。
【００２９】
（構成）
まず、図１および図２を参照して、スロットマシン１の構成の概略について説明する。図１はスロットマシン１の正面図である。図２は図１中のＸ−Ｘ断面図である。
【００３０】
図1に示すように、スロットマシン１は、遊技媒体であるメダルが規定数投入されることを条件とする遊技者の操作に基づいて一回の遊技が実行されるものであり、筐体の前面が前扉２により開閉自在に閉塞され、この前扉２のほぼ中央高さの位置に操作板３が配設されると共に、この操作板３の上方に正面板４が配設されている。
【００３１】
そして、この正面板４には横長矩形の表示窓５が設けられ、表示窓５の内側には、複数種類の図柄を予め定められた順序で可変表示する左・中・右リール６（本発明における回転リールに相当）が配置されている。各リール６には、例えば「赤７」「白７」「青７」「ＢＡＲ」「チェリー」「ベル」「スイカ」「リプレイ」の複数種類の図柄が合計２１個、所定の配列でそれぞれ設けられている。また、各図柄が印刷されたリールテープがリール６の周面に貼り付けられて各リール６がそれぞれ形成される。そして、各リール６が回転すると、複数の図柄がそれぞれ表示窓５に変動表示される。表示窓５からは、各リール６の回転が停止すると、図柄が上段、中段および下段にそれぞれ１個の合計３個ずつ覗くように設定されている。すなわち、３個すべてのリール６が停止すると、縦３列横３行に配列された合計９個の図柄が表示窓５に停止表示されるようになっている。
【００３２】
また、各リール６をそれぞれ独立して回転駆動できるように、各リール６には、それぞれステッピングモータにより構成されるリールモータ（図示せず）が連結されている。
【００３３】
さらに、操作板３には、内部に貯留されているクレジットメダルから１枚ずつのメダル投入を指示するためのベットスイッチ７、クレジットメダルから１ゲーム（遊技）あたりの最大投入枚数（３枚に設定されている）のメダル投入を指示するための最大ベットスイッチ８、各リール６を回転させて各図柄の可変表示を開始させるレバー状のスタートスイッチ９、左・中・右リール６の回転をそれぞれ停止させて各図柄の可変表示を停止させる左・中・右ストップスイッチ（本発明における操作スイッチに相当）１０Ｌ，１０Ｍ，１０Ｒ、クレジットメダルを払い出すための精算スイッチ１１、およびメダル投入口１２が設けられている。なお、この実施形態では、１ゲームに必要なメダル投入数（規定数）は、３枚の１種類が設定されている。
【００３４】
また、正面板４の上方のほぼ中央には、動画などを表示して遊技者に当選や入賞などを告知する演出を行うための液晶表示器１３が設けられ、液晶表示器１３のすぐ上方には、各種の入賞図柄が表示された説明パネル１４が設けられ、これら液晶表示器１３および説明パネル１４の左右には、音楽などによる演出を行うためのスピーカ１５Ｌ，１５Ｒがそれぞれ設けられている。また、説明パネル１４およびスピーカ１５Ｌ，１５Ｒの上辺には中央ランプ部１６Ｍが配設され、その左右には左・右ランプ部１６Ｌ，１６Ｒがそれぞれ配設されている。各ランプ部１６Ｍ，１６Ｌ，１６Ｒには、それぞれ発光ダイオードなどの光源が配設されている。これらのランプ部１６Ｍ，１６Ｌ，１６Ｒは一体的に形成され、遊技者に当選や入賞を告知するなどの演出を行うための上部ランプ部１６を構成している。
【００３５】
また、正面板４の表示窓５と液晶表示器１３との間の領域において、各リール６それぞれに対応する装飾画などが表示され、この装飾画の表示部分に対応する位置に本発明の照明装置１７が配設されている。なお、照明装置１７の構成については後で詳述する。
【００３６】
また、操作板３の下方には、装飾画などが表示された下部パネル１８が設けられ、この下部パネル１８の左右には、それぞれ複数の光源が例えば２列に並んで配置された下部ランプ部１９Ｌ，１９Ｒが設けられている。また、下部パネル１８の下方には、メダルの払出口２０や、この払出口２０から払い出されるメダルを受けるメダル受け２１が設けられている。また、正面板４には入賞ラインが描かれ、正面板４の左下にはクレジットメダルの貯留枚数を表示するクレジット表示器２２が配設されている。このクレジット表示器２２は、例えば２個の７セグメントＬＥＤで構成され、２桁の貯留枚数（最大で５０枚）が表示可能になっている。
【００３７】
また、図２に示すように、各リール６を支持する支持枠体２３が、筐体内の後壁に固定されている。また、支持枠体２３には各リール６のバックライト２４が支持されており、バックライト２４には、各リール６それぞれに設けられた図柄のうち、表示窓５から遊技者が視認できる９つの図柄（右リール：３つ、中リール：３つ、左リール３つ）それぞれを内部から照明する９つの点光源２５（例えばＬＥＤ）が配設されている。
【００３８】
さらに、図２に示すように、前扉２の裏側から、照明装置１７が取り付けられており、この照明装置１７が、上記した装飾画の表示部を正面板４の裏面側から照明するとともに各リール６の表面を外部から照明する。
【００３９】
（照明装置）
次に、照明装置１７の構成について図３〜図７を参照して説明する。なお、図３は照明装置１７を右斜め前上方から見たときの斜視図、（ｂ）はその分解斜視図、図４は照明装置１７の基板の正面図、図５はリフレクタの（ａ）正面図、（ｂ）背面図、（ｃ）平面図、（ｄ）底面図、図６は照明装置１７の（ａ）正面図、（ｂ）背面図、（ｃ）平面図、（ｄ）底面図、図７は照明装置１７を左斜め前下方から見たときの斜視図である。
【００４０】
照明装置１７は、図３〜図７に示すように、それぞれ前扉２の所定の装飾画の表示部を照射する複数の第１発光部２６、および、それぞれ各リール６の表面を外部から照射する複数の第２発光部２７からなる光源群と、この光源群の各発光部２６，２７を実装するための横長矩形状の基板２８と、該基板２８に装着され、各発光部２６，２７からの光をそれぞれ個別に所定の照射対象（装飾画の表示部や各リール６）に出射するためのリフレクタ２９（本発明における出射手段に相当）とを備える。
【００４１】
基板２８は、例えば、内部または表面に配線パターンなどが形成されたプリント基板により形成され、図４に示すように、それぞれの一方主面（実装面）であって、該基板２８の長手方向に、略直線状に複数の発光素子２６ａ，２７ａ（この実施形態では発光ダイオード：ＬＥＤ）が配列実装される。この場合、各発光素子２６ａ，２７ａの中には、それぞれ各ストップスイッチ１０Ｌ，１０Ｍ，１０Ｒの操作態様を報知するための演出照明用に使用される複数の発光素子２６ａと、それぞれ各リール６表面の照射用に使用される複数の発光素子２７ａの２種類があり、１つの発光素子２６ａにより個々の第１発光部２６が形成されるとともに、１つまたは２つの発光素子２７ａにより個々の第２発光部２７が形成される。そして、図４に示すように、第１発光部２６と第２発光部２７とが、基板２８の長手方向に交互に配列されてなる光源群が形成される。なお、各発光素子２６ａ，２７ａを完全に直線上に配列してもかまわない。また、この実施形態において、光源群を構成する発光部２６，２７の総数を限定するものではないが、３つ以上の発光部２６，２７で構成されていることが好ましい。
【００４２】
また、図３（ｂ）に示すように、基板２８の主面には、リフレクタ２９を基板２８に装着するための２つの貫通孔３０が、２つの発光素子２７ａで形成された２つの第２発光部２７それぞれの、両発光素子２７ａ間に透設される。また、基板２８の他方主面には、外部接続用のコネクタ３１が実装され、該コネクタ３１を介して外部から入力される制御信号により、各発光素子２６ａ，２７ａの照明制御が個別に行われる。
【００４３】
なお、本発明は、各第１発光部２６および各第２発光部２７が基板２８上に交互に配列された構成であればよく、各第１発光部２６および各第２発光部２７それぞれを構成する発光素子２６ａ，２７ａの個数を限定するものではない。また、各発光部２６，２７を、必ずしも基板２８の長手方向に沿うように配列する必要はなく、基板２８の実装面に直線状に各発光部２６，２７を交互に配列する構成であれば、その配列方向はどのような方向であってもかまわない。
【００４４】
リフレクタ２９は、各第１発光部２６および各第２発光部２７からの光をそれぞれ異なる方向に出射するものであり、各第１発光部２６からの光それぞれを、前扉２の所定の装飾画の表示部に向けて出射するための複数の第１光出射部２９ａと、各第２発光部２７からの光それぞれを、各第１発光部２６からの光の出射方向と異なる各リール６の表面に向けて出射するための複数の第２光出射部２９ｂ，２９ｃとを有する。そして、各第１光出射部２９ａおよび各第２光出射部２９ｂ，２９ｃが一体的に形成されることにより、ユニット化されたケース体として形成され、基板２８の光源群の配置側に着脱自在に装着される。なお、リフレクタ２９は、不透明のプラスチック等で形成される。
【００４５】
具体的には、各第１光出射部２９ａは、図３（ａ）、図５（ａ）、図５（ｃ）図６（ａ）、図６（ｃ）に示すように、各第１発光部２６それぞれに対応して設けられており、各々、リフレクタ２９が基板２８に装着された状態で、対応する第１発光部２６の光の照射方向である前方側（前扉２側）および上方側が開放され、第１発光部２６を左右から挟み、かつ、基板２８から遠ざかるに連れて広がるように形成された２つの第１発光部左右反射面２９ａ１（本発明における第２反射面に相当）と、第１発光部２６の下側に形成された３つの第１発光部下部反射面２９ａ２（本発明における第３反射面に相当）とを有し、各反射面２９ａ１，２９ａ２が一体的に形成される。
【００４６】
なお、この実施形態における各第１光出射部２９ａは、各反射面２９ａ１，２９ａ２それぞれが略平面で形成され、隣接する両反射面２９ａ１，２９ａ２の結合部に境界ができるように形成されているが、各反射面２９ａ１，２９ａ２の一部また全面を曲面に形成することにより、当該結合部に境界ができないように、滑らかに各反射面２９ａ１，２９ａ２を結合させる構成であってもかまわない。また、第１光出射部２９ａは、必ずしもその上方側を開放する必要はなく、例えば、第１発光部２６の左右に配置された両第１発光部左右反射面２９ａ１の上端どうしを接続する反射面を新たに設け、第１発光部２６の上下左右の全周を囲むように、第１光出射部２９ａを形成してもよい。
【００４７】
各第２光出射部２９ｂ，２９ｃは、図５（ｂ）、図５（ｄ）および図６（ｄ）に示すように、各第２発光部２７それぞれに対応して設けられており、それぞれ１つの発光素子２７ａで構成された第２発光部２７に対応する複数の第２光出射部２９ｂと、それぞれ２つの発光素子２７ａで構成された第２発光部２７に対応する２つの第２光出射部２９ｃとを有する。
【００４８】
１つの発光素子２７ａで構成された各第２発光部２７に対応する各第２光出射部２９ｂは、各々、リフレクタ２９が基板２８に装着された状態で、対応する第２発光部２７の周囲を囲む全周のうちの光の出射側（下方側：各リール６側）が開放され、当該第２発光部２７の光の照射方向を変更する反射面２９ｂ１，２９ｂ２を有する。
【００４９】
この反射面２９ｂ１，２９ｂ２は、図５（ｄ）および図６（ｄ）に示すように、対応する第２発光部２７を左右から挟む２つの第２発光部左右反射面２９ｂ１（本発明における第１反射面に相当）と、当該第２発光部２７の周囲を囲む全周のうちの上方側に配設された第２発光部上部反射面２９ｂ２とで構成される。この場合、両第２発光部左右反射面２９ｂ１は、各々、さらに２つの反射面２９ｂ１で構成され、これらの反射面２９ｂ１が一体形成される。そして、両第２発光部左右反射面２９ｂ１は、基板２８から遠ざかるに連れて接近するように形成され、当該両反射面２９ｂ１の前端部どうしが結合される。また、第２発光部上部反射面２９ｂ２は、両第２発光部左右反射面２９ｂ１の上端部どうしを接続するように形成され、第２発光部上部反射面２９ｂ２の左右両端部と両第２発光部左右反射面２９ｂ１の上端部が結合される。そして、各反射面２９ｂ１，２９ｂ２が一体形成されることにより、リフレクタ２９が基板２８に装着された状態で、下方側が開放された各第２光出射部２９ｂが形成される。
【００５０】
また、２つの発光素子２７ａで構成された両第２発光部２７それぞれに対応する両第２光出射部２９ｃは、各々、リフレクタ２９が基板２８に装着された状態で、対応する第２発光部２７の周囲を囲む全周のうちの光の出射側（下方側：各リール６側）が開放され、当該第２発光部２７の光の照射方向を変更する反射面２９ｃ１，２９ｃ２，２９ｃ３を有する。
【００５１】
この反射面２９ｃ１，２９ｃ２，２９ｃ３は、図５（ｄ）および図６（ｄ）に示すように、対応する第２発光部２７を左右から挟む２つの第２発光部左右反射面２９ｃ１と、当該第２発光部２７の周囲を囲む全周のうちの上方側に配設された第２発光部上部反射面２９ｃ２と、当該第２発光部２７の前方側に対向するように配設された第２発光部前方反射面２９ｃ３とで構成される。この場合、両第２発光部左右反射面２９ｃ１は、各々、さらに２つの反射面２９ｃ１で構成され、これらの反射面２９ｃ１が一体形成される。そして、両第２発光部左右反射面２９ｃ１は、基板２８から遠ざかるに連れて接近するように形成される。また、第２発光部上部反射面２９ｃ２は、両第２発光部左右反射面２９ｃ１の上端部どうしを接続するように形成され、第２発光部上部反射面２９ｃ２の左右両端部と両第２発光部左右反射面２９ｃ１の上端部が結合される。また、第２発光部前方反射面２９ｃ３は、両第２発光部左右反射面２９ｃ１の前端部どうしを接続するように形成され、第２発光部前方反射面２９ｃ３の左右両端部と両第２発光部左右反射面２９ｃ１の前端部が結合される。そして、各反射面２９ｃ１，２９ｃ２，２９ｃ３が一体形成されることにより、リフレクタ２９が基板２８に装着された状態で、下方側が開放された第２光出射部２９ｃが形成される。なお、各光出射部２９ａ，２９ｂ，２９ｃの各反射面２９ａ１，２９ａ２，２９ｂ１，２９ｂ２，２９ｃ１，２９ｃ２，２９ｃ３それぞれは、表面が鏡面状に形成され、各発光部２６，２７が照射する光をロスなく出射方向に反射できるようになっている。
【００５２】
また、リフレクタ２９は、図５および図６等に示すように、各第１光出射部２９ａと各第２光出射部２９ｂ，２９ｃとが一体形成されており、例えば、一の第１光出射部２９ａと右側に隣接する第２光出射部２９ｂ，２９ｃとの間では、第１光出射部２９ａの右側の第１発光部左右反射面２９ａ１と第２光出射部２９ｂ，２９ｃの左側の第２発光部左右反射面２９ｂ１，２９ｃ１とが１枚の反射板に形成されるとともに、当該一の第１光出射部２９ａの左側に隣接する第２光出射部２９ｂ，２９ｃとの間では、第１光出射部２９ａの左側の第１発光部左右反射面２９ａ１と第２光出射部２９ｂ，２９ｃの右側の第２発光部左右反射面２９ｂ１，２９ｃ１とが１枚の反射板に形成される。そして、リフレクタ２９は、図５（ｂ）に示すように、背面側から見たときに、各第１光出射部２９ａそれぞれが、対応する第１発光部２６の光の出射側（開放された部分）を除く周囲を囲むように円弧状（下側に凸）に形成されるとともに、各第２光出射部２９ｂ，２９ｃそれぞれが、対応する第２発光部２７の光の出射側を除く周囲を囲むように円弧状（上側に凸）に形成され、これらの円弧が連なって、波状に形成されることにより、各発光部２６，２７が個別に仕切られた状態になるように形成されている。
【００５３】
また、リフレクタ２９には、図５（ｂ）および図５（ｄ）に示すように、基板２８に装着するための２つの装着部３２が、基板２８の２つの貫通孔３０に対応する位置に設けられている。この場合、各々の装着部３２は円柱状の装着部本体３２ａと、該装着部本体３２ａの径よりも小さな径を有する円柱状の嵌合部３２ｂとが同軸上に一体形成されたものであり、第２光出射部２９ｃの第２発光部前方反射面２９ｃ３から後方に突出した状態で、第２光出射部２９ｃに一体形成される。また、装着部３２には、前後方向の中心軸にねじ孔が形成されている。そして、当該嵌合部３２ｂを基板２８に設けられた貫通孔３０に嵌めた状態で基板２８の裏側（後方側）からねじ３３で固定することにより、リフレクタ２９が基板２８に装着される。なお、嵌合部３２ｂの外径は、貫通孔３０の径よりも若干小さい径で形成される。また、リフレクタ２９の基板２８への装着は、必ずしも、ねじ３３による固定に限らず、種々の方法を採用することができる。
【００５４】
また、リフレクタ２９の左右両端部には、照明装置１７をスロットマシン１に取り付けるための取り付け部２９ｄが形成されている。
【００５５】
以上のように形成されたリフレクタ２９は、図３（ａ）、図６（ａ）等に示すように、各第１発光部２６それぞれにおいて、前方方向および上側方向以外に広がる光のうち、第１発光部２６から横方向に広がる光は、第１光出射部２９ａの左右の両第１発光部左右反射面２９ａ１により反射され、他の発光部２６，２７との光の干渉が防止されるとともに、下側方向（第２発光部２７の光の出射方向）に広がる光は、第１発光部下部反射面２９ａ２により反射され、他の発光部２６，２７との光の干渉が防止される。
【００５６】
一方、図６（ｄ）、図７に示すように、各第２発光部２７それぞれにおいて、下側方向（出射方向）以外に広がる光のうち、第２発光部２７から横方向に広がる光は、両第２発光部左右反射面２９ｂ１，２９ｃ１により反射され、他の発光部２６，２７との光の干渉が防止されるとともに、上側方向に広がる光は、第２発光部上部反射面２９ｂ２，２９ｃ２により反射され、他の発光部２６，２７との光の干渉が防止される。また、前方方向に広がる光は、１つの発光素子２７ａで構成された第２発光部２７は、第２光出射部２９ｂの両第２発光部左右反射面２９ｂ１により反射されるとともに、２つの発光素子２７ａで構成された第２発光部２７は、第２光出射部２９ｃの第２発光部前方反射面２９ｃ３により反射され、それぞれ他の発光部２６，２７との光の干渉が防止される。すなわち、リフレクタ２９（各第１光出射部２９ａおよび各第２光出射部２９ｂ，２９ｃ）は、一の発光部２６，２７からの洩れ光が、当該一の発光部２６，２７に隣接する他の発光部２６，２７の光と干渉するのを防止する遮蔽機能を有し、各発光部２６，２７それぞれが、他の発光部２６，２７からの洩れ光に干渉されることなく、個別に仕切られた状態で形成される。
【００５７】
次に、各光出射部２９ａ，２９ｂ，２９ｃによる各発光部２６，２７の光の出射方向について、図８を参照して説明する。なお、図８（ａ）は照明装置１７の平面図、（ｂ）はＡ−Ａ断面図、（ｃ）はＢ−Ｂ断面図である。
【００５８】
この実施形態において、各第１発光部２６は、各々、前扉２装飾画の表示部に対して光を照射し、遊技者に各ストップスイッチ１０Ｌ，１０Ｍ，１０Ｒの操作態様を報知するための演出照明用に使用される。この場合、第１発光部２６から横方向に広がる光は、図８（ａ）に示すように、対応する第１光出射部２９ａの両第１発光部左右反射面２９ａ１により反射され、ほぼ直進（前方方向）するように出射される。また、第１発光部２６から下側方向に広がる光は、図８（ｂ）に示すように、当該対応する第１発光部２６を囲む全周のうち、下側に配設された第１発光部下部反射面２９ａ２により反射され、ほぼ直進するように出射される。
【００５９】
また、各第２発光部２７は、各々、各リール６の表面を照射するためのリール照明用に使用される。この場合、第２発光部２７から上側方向に広がる光は、図８（ｃ）に示すように、対応する第２光出射部２９ｂ，２９ｃの第２発光部上部反射面２９ｂ２，２９ｃ２により反射され、下側方向（各リール６側）に向けて出射される。また、第２発光部２７から横方向および前方方向に広がる光は、当該対応する第２光出射部２９ｂ，２９ｃの両第２発光部左右反射面２９ｂ１，２９ｃ１により反射され、下側方向（各リール６側）に向けて出射される。このように、リフレクタ２９は、各第１発光部２６それぞれからの光を所定方向（前扉２装飾画の表示部側）に出射するとともに、各第２発光部２７それぞれからの光を当該所定方向と異なる方向（各リール６側）に出射する。
【００６０】
次に、照明装置１７のスロットマシン１への取り付けに関して、図１および図９を参照して説明する。なお、図９（ａ）は前扉２の部分正面図、（ｂ）は前扉２裏側を右斜め下方向から見たときの部分背面斜視図である。なお、説明を簡単にするために、図９（ａ）において、前面板４等を図示省略するとともに、紙面右半分のリフレクタ２９を図示省略している。
【００６１】
照明装置１７は、図１および図９（ａ）に示すように、中パネルベース３４の上部付近、すなわち、液晶表示器１３と各リール６の間に相当する位置に取り付けられる。なお、中パネルベース３４は、前扉２の上側のフレームとして設けられたものであり、前面に正面板４が配設される。このとき、中パネルベース３４の裏側には、照明装置１７を係止するための係止体３４ａが、後方に突出して一体形成されており、リフレクタ２９の取り付け部２９ｄが係止体３４ａにより係止されて、照明装置１７が中パネルベース３４の上記した所定の位置に固定される。なお、照明装置１７をねじで中パネルベース３４に固定するようにしてもよい。
【００６２】
また、図９（ｂ）に示すように、照明装置１７の裏側には、前扉２の補強用の補強板３４ｂが配設され、ねじにより中パネルベース３４に固定される。また、照明装置１７の下側には、第２発光部２７から下側（各リール６側）に出射される光を拡散させるための拡散板３４ｃが配設され、各リール６表面に対してほぼ均一に光が照射されるように構成されている。なお、拡散板３４ｃは、光の透過・拡散が可能な材質を使用するのが望ましく、例えば半透明のプラスチックが好適である。特に、拡散板３４ｃの下面側は光を拡散すべくすりガラス状に形成するとよい。
【００６３】
したがって、上記した実施形態によれば、照明装置１７が備える光源群は、横長矩形状の基板２８上であって、該基板２８の長手方向に第１発光部２６と第２発光部２７とが交互に配列された状態で形成される。そして、各第１発光部２６からの光は、各々、第１光出射部２９ａにより、前方方向（前扉２側）に出射されるとともに、各第２発光部２７からの光は、各々、第２光出射部２９ｂ，２９ｃにより、第１発光部２６からの光の出射方向と異なる下側方向（各リール６側）に出射される。
【００６４】
すなわち、単一の照明装置１７で異なる２方向に光を出射することができるため、光の出射方向の異なる照明装置を個別に設ける従来の構成と比較して、照明装置１７の小型化を図ることができる。また、照明装置１７を単一なものとすることにより、照明装置１７を構成する部品の数を削減することができるため、照明装置１７の低コスト化を図ることもできる。また、照明装置１７を小型化することにより、スロットマシン１の筐体内部における照明装置１７の設置スペース以外の空きスペースを大きくすることができるため、スロットマシン１の設計自由度の向上を図ることもできる。
【００６５】
また、それぞれ異なる方向に光を照射するための各第１発光部２６および各第２発光部２７が個別の発光素子２６ａ，２７ａで形成されるため、従来のように、リール照明用の光源と演出照明用の光源を一つの光源で構成したときの問題が生じない。すなわち、リール回転中の演出として、前扉２に描かれた装飾画を点滅させると各リール６用の照明まで点滅することになり、リール図柄が見づらくなるという問題が生じたり、遊技者がリール図柄を視認しやすいように各リール６用の照明を常時点灯させると、上記したリール回転中の演出を実現することができないといった問題が生じたりすることがない。
【００６６】
また、各発光部２６，２７を基板２８の長手方向に略直線状に配列することにより、基板２８の主面における、長手方向と垂直な方向（短手方向）の長さを短くすることができるため、基板２８の小型化、ひいては照明装置１７の小型化を図ることができる。
【００６７】
また、各第２光出射部２９ｂ，２９ｃそれぞれは、第２発光部２７の周囲を囲む全周のうちの下側（各リール６側）が開放され、当該第２発光部２７の光の照射方向を変更する反射面２９ｂ１，２９ｂ２，２９ｃ１，２９ｃ２，２９ｃ３を有するため、各第２発光部２７それぞれの光の照射方向を各第２光出射部２９ｂ，２９ｃの反射面２９ｂ１，２９ｂ２，２９ｃ１，２９ｃ２，２９ｃ３により変更した上で、各第１発光部２６の光の出射方向と異なる方向に出射することができる。
【００６８】
また、１つの発光素子２７ａで構成された各第２発光部２７に対応する各第２光出射部２９ｂそれぞれは、対応する第２発光部２７を左右から挟み、該第２の発光部２７から横方向に広がる光を反射する２つの第２発光部左右反射面２９ｂ１を備え、両反射面２９ｂ１は、基板２８から遠ざかるに連れて接近するように形成され、両反射面２９ｂ１の前端部どうしが結合される。このように構成すると、各第２光出射部２９ｂそれぞれを、基板２８から遠ざかるに連れて先細りの形状で形成することができるため、第１発光部２６からの光を前方方向（前扉２側）出射したときに、リフレクタ２９が各第１発光部２６からの光を遮って、第１発光部２６の照射対象である前扉２の装飾画の表示部に影が映るのを防止することができる。したがって、各第１発光部２６の照射対象の視認性に優れた照明装置１７を提供することができる。
【００６９】
また、各第１光出射部２９ａそれぞれは、対応する第１発光部２６を左右から挟み、かつ、基板２８から遠ざかるに連れて距離が広がるように形成され、当該第１発光部２６の横方向に広がる光をほぼ直進するように反射して出射する２つの第１発光部左右反射面２９ａ１と、当該第１発光部２６の下側に形成され、当該第１発光部２６の下側方向に広がる光をほぼ直進するように反射して出射する第１発光部下部反射面２９ａ２とを備えるため、各第１発光部２６それぞれからの光を直進方向に効率よく出射することができる。
【００７０】
また、リフレクタ２９（各第１光出射部２９ａおよび各第２光出射部２９ｂ，２９ｃ）は、基板２８に装着されたときに、両発光部２６，２７のいずれかからの洩れ光が、当該発光部２６，２７に隣接する他の発光部２６，２７の光と干渉するのを防止する遮蔽機能を有し、各発光部２６，２７それぞれが個別に仕切られた状態で形成されるため、隣接する両発光部２６，２７それぞれからの光の相互干渉を防止することができる。
【００７１】
また、照明装置１７を中パネルベース３４に取り付けた状態において、第２発光部２７の光の出射方向である下側（各リール６側）に拡散板３４ｃが配設されているため、各第２発光部２７からの光を各リール６表面に均一に照射することができる。
【００７２】
また、各第１光出射部２９ａおよび各第２光出射部２９ｂ，２９ｃがユニット化されてケース体を成し、該ケース体が、基板２８の光源群の配置側に着脱自在に装着されるため、リフレクタ２９の小型化、ひいては照明装置１７の小型化を図ることができる。また、ケース体を基板２８に着脱自在に装着することができるため、リフレクタ２９の交換作業を容易に行うことができる。
【００７３】
各第１発光部２６からの光を遊技者にストップスイッチ１０Ｌ，１０Ｍ，１０Ｒの操作態様を報知するための演出照明用に使用し、各第２発光部２７からの光を各リール６の表面を照射するためのリール照明用に使用するため、リール照明用および演出照明用それぞれで個別に照明装置を設置する必要がなく、スロットマシン１の筐体内部における照明装置１７の設置スペースを小さくすることができ、スロットマシン１の設計自由度の向上を図ることができる。
【００７４】
なお、本発明は上記した実施形態に限定されるものではなく、その趣旨を逸脱しない限りにおいて、上記したもの以外に種々の変更を行うことが可能である。
【００７５】
例えば、上記した実施形態では、各第１発光部２６からの光を、その光の照射方向を変更せずに前方側に出射し、各第２発光部２７からの光を、その光の照射方向を変更して下側に出射するように構成したが、各発光部２６，２７からの光の出射方向は適宜変更可能である。例えば、第１光出射部２９ａの第１発光部下部反射面２９ａ２等の配設角度を調整することにより、各第１発光部２６からの光もその照射方向と異なる方向（例えば、上側方向や斜め上方向）に変更して出射するようにしてもよい。このように構成することにより、照明装置１７のスロットマシン１の筐体内における配置の自由度が向上する。
【００７６】
また、照明装置１７の利用用途は、各ストップスイッチ１０Ｌ，１０Ｍ，１０Ｒの操作態様を報知するための演出照明用および各リール６の照明用に限らず、例えば、照明装置１７を、図１に示す中央ランプ部１６Ｍに配設して演出照明用に使用したり、スロットマシン１の上下方向に立設して、左・右ランプ部１６Ｌ，１６Ｒや下部ランプ部１９Ｌ，１９Ｒに演出照明用として使用したりしてもよい。このように構成することにより、多彩な照明演出を実行することができる。
【００７７】
また、上記した実施形態では、照明装置１７を各リール６の上部に配設する構成としたが、各リール６の下部に配設するようにしてもよい。
【００７８】
また、照明装置１７によるスロットマシン１の演出は、上記した所謂押し順ナビに限られないことはいうまでもない。例えば、各ストップスイッチ１０Ｌ，１０Ｍ，１０Ｒの停止操作のタイミングや停止図柄を報知するものであってもよい。特に、停止図柄を報知する場合、例えば、遊技者が左リール６の「赤７」図柄を表示窓５に停止させるための報知は、左リール６に対応する第１発光部２６のみを赤色に点灯させることで実行可能である。また、ストップスイッチ１０Ｌ，１０Ｍ，１０Ｒの操作態様を報知するのとは別に基板２８の長手方向に並んだ各第１発光部２６を例えば左から右に順々に点灯させる演出を行うこともできる。
【００７９】
また、上記した実施形態では、各リール６それぞれに対応する前扉２の各装飾画の表示部に対して個別に第１発光部２６の光を照射することにより、各ストップスイッチ１０Ｌ，１０Ｍ，１０Ｒの操作態様を報知する演出を行ったが、単に前扉２の装飾画に対して光を照射する演出であってもよい。また、前扉２に装飾画が描かれていない状態で、各リール６に対応する第１発光部２６のみを点灯するなどして各ストップスイッチ１０Ｌ，１０Ｍ，１０Ｒの操作態様を報知する演出であってもかまわない。
【００８０】
また、各第２発光部２７からの光を利用してリール演出を行ってもかまわない。この場合、例えば、各リール６の表面に対しての光を点灯、消灯、点滅等させることにより、多彩なリール照明演出が可能になる。
【００８１】
また、上記した実施形態にかかるスロットマシン１が備える照明装置１７を、スロットマシン１以外の遊技機（たとえば、パチンコ機）に適用することも可能であり、この場合には第１、第２発光部２６，２７をともに演出用に使用すればよい。
【符号の説明】
【００８２】
１…スロットマシン（遊技機）、６…リール（回転リール）、１０Ｌ，１０Ｍ，１０Ｒ…ストップスイッチ（操作スイッチ）、１７…照明装置、２６…第１発光部、２７…第２発光部、２８…基板、２９…リフレクタ（出射手段）、２９ａ…第１光出射部、２９ａ１…第１発光部左右反射面（第２反射面）、２９ａ２…第１発光部下部反射面（第３反射面）、２９ｂ，２９ｃ…第２光出射部、２９ｂ１，２９ｃ１…第２発光部左右反射面（第１反射面）、２９ｂ２，２９ｃ２…第２発光部上部反射面、２９ｃ３…第２発光部前方反射面
【図１】
2014090840.tif 000003
【図２】
2014090840.tif 000004
【図３】
2014090840.tif 000005
【図４】
2014090840.tif 000006
【図５】
2014090840.tif 000007
【図６】
2014090840.tif 000008
【図７】
2014090840.tif 000009
【図８】
2014090840.tif 000010
【図９】
2014090840.tif 000011